(57)【要約】【課題】機器の消費電力の低減、機器の処理負荷の軽減およびネットワークリソースの有効活用を図ることができるテレビ電話機能付き機器を提供する。【解決手段】携帯電話機１は、通信部１９と、第１撮影部２０と、音声入力部１５と、音声出力部１６と、表示面３を有する表示部１３と、通信先の機器からの動画および音声が受信されると、受信された動画を表示面３に設定された映像表示領域ＲＡに表示するとともに、受信された音声を音声出力部１６から出力する通話制御部３２と、表示面３上におけるユーザの視線位置を検出する視線検出部３１と、を備える。通話制御部３２は、視線位置が映像表示領域ＲＡから外れたことに基づいて、通信先の機器に動画の送信を抑制させるための送信抑制信号を出力し、視線位置が映像表示領域ＲＡ内に復帰したことに基づいて、通信先の機器に動画の送信の抑制を解除させるための抑制解除信号を出力する。【選択図】図８
2014090230.tif 000002
【特許請求の範囲】
【請求項１】
データの送受信を行う通信部と、
被写体を撮影する撮影部と、
音声の入力を受け付ける音声入力部と、
音声を出力する音声出力部と、
表示面を有する表示部と、
前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力する通話制御部と、を備え、
前記通話制御部は、ユーザが前記表示領域に表示された動画を見ていないと看做されるための第１判定条件が満たされた場合に、前記通信先の機器に動画の送信を抑制させるための送信抑制信号を出力する、
ことを特徴とするテレビ電話機能付き機器。
【請求項２】
請求項１に記載のテレビ電話機能付き機器において、
前記通話制御部は、前記送信抑制信号により前記通信先の機器からの動画の送信が抑制されている状態において、ユーザが前記表示領域に表示された動画を見ていると看做されるための第２判定条件が満たされた場合に、前記通信先の機器に動画の送信の抑制を解除させるための抑制解除信号を出力する、
ことを特徴とするテレビ電話機能付き機器。
【請求項３】
請求項２に記載のテレビ機能付き機器において、
前記表示面上におけるユーザの視線位置を検出する視線検出部をさらに備え、
前記通話制御部は、
前記視線位置が前記表示領域から外れたことに基づいて前記送信抑制信号を出力し、
前記視線位置が前記表示領域内に復帰したことに基づいて前記抑制解除信号を出力する、
ことを特徴とするテレビ電話機能付き機器。
【請求項４】
請求項３に記載のテレビ電話機能付き機器において、
前記通話制御部は、
前記表示面に前記表示領域を含む第１判定領域を設定し、
前記第１判定領域内に位置していた前記視線位置が前記第１判定領域外へ移動したことに基づいて前記送信抑制信号を出力し、
前記第１判定領域外に位置していた前記視線位置が前記第１判定領域内へ移動したことに基づいて前記抑制解除信号を出力する、
ことを特徴とするテレビ電話機機能付き機器。
【請求項５】
請求項４に記載のテレビ電話機能付き機器において、
前記第１判定領域は前記表示領域よりも広い、
ことを特徴とするテレビ電話機能付き機器。
【請求項６】
請求項４または５に記載のテレビ電話機能付き機器において、
前記送信抑制信号は、前記通信先の機器に動画の送信を停止させるための送信停止信号または前記通信先の機器に動画の転送レートを低下させるためのレート低下信号を含む、ことを特徴とするテレビ電話機能付き機器。
【請求項７】
請求項６に記載のテレビ電話機能付き機器において、
前記通話制御部は、
前記第１判定領域の周囲に第２判定領域を設定し、
前記第２判定領域外に位置していた前記視線位置が前記第２判定領域内に移動したことに基づいて、前記レート低下信号を出力し、
前記第２判定領域の外側の領域より内側に位置していた前記視線位置が前記外側の領域内に移動したことに基づいて、前記送信停止信号を出力する、
ことを特徴とするテレビ電話機能付き機器。
【請求項８】
請求項６に記載のテレビ電話機能付き機器において、
前記送信停止信号は、前記通信先の機器に動画の送信を停止させるとともに動画に替えて前記撮影部により撮影された静止画を所定の更新時間間隔で送信させるための第１停止信号、および前記通信先の機器に動画の送信を停止させるとともに前記撮影部により撮影された静止画を送信させない第２停止信号を含む、
ことを特徴とするテレビ電話機能付き機器。
【請求項９】
請求項８に記載のテレビ電話機能付き機器において、
前記通話制御部は、前記第１判定領域の周囲に第２判定領域を設定するとともに当該第２判定領域の周囲に第３判定領域を設定し、
前記第２判定領域外に位置していた前記視線位置が前記第２判定領域内に移動したことに基づいて、前記レート低下信号を出力し、
前記第３判定領域外に位置していた前記視線位置が前記第３判定領域内に移動したことに基づいて、前記第１停止信号を出力し、
前記第３判定領域の外側の領域より内側に位置していた前記視線位置が前記外側の領域内に移動したことに基づいて、前記第２停止信号を出力する、
ことを特徴とするテレビ電話機能付き機器。
【請求項１０】
請求項１に記載のテレビ電話機能付き機器において、
前記テレビ電話機能付き機器への検出対象物の近接を検出する近接検出部をさらに備え、
前記通話制御部は、前記近接検出部により検出対象物の近接が検出されなくなったことに基づいて前記送信抑制信号を出力する、
ことを特徴とするテレビ電話機能付き機器。
【請求項１１】
請求項１に記載のテレビ電話機能付き機器において、
前記撮影部により撮影された画像の中からユーザの画像を検出する画像検出部をさらに備え、
前記通話制御部は、前記画像検出部によりユーザの画像が検出されなくなったことに基づいて前記送信抑制信号を出力する、
ことを特徴とするテレビ電話機能付き機器。
【請求項１２】
データの送受信を行う通信部と、
被写体を撮影する撮影部と、
音声の入力を受け付ける音声入力部と、
音声を出力する音声出力部と、
表示面を有する表示部と、
前記撮影部により撮影された動画および前記音声入力部に入力された音声を、前記通信部を介して通信先の機器へ送信し、前記通信先の機器から前記通信部に動画および音声が受信されると、受信された動画を前記表示面に表示するとともに、受信された音声を前記音声出力部から出力する通話制御部と、を備え、
前記通話制御部は、ユーザが前記通信先の機器の表示面に表示された動画を見ていない
と看做されるための第１判定条件が満たされた場合に前記通信先の機器から出力される送信抑制信号に基づいて、前記通信先の機器への動画の送信を抑制する、
ことを特徴とするテレビ電話機能付き機器。
【請求項１３】
データの送受信を行う通信部と、被写体を撮影する撮影部と、音声の入力を受け付ける音声入力部と、音声を出力する音声出力部と、表示面を有する表示部と、を備え、前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力するテレビ電話機能付き機器のコンピュータに、
ユーザが前記表示領域に表示された動画を見ていないと看做されるための第１判定条件が満たされたか否かを判定する機能と、
前記第１判定条件が満たされたと判定された場合に、前記通信先の機器に動画の送信を抑制させるための送信抑制信号を出力する機能と、
を付与するプログラム。
【請求項１４】
データの送受信を行う通信部と、被写体を撮影する撮影部と、音声の入力を受け付ける音声入力部と、音声を出力する音声出力部と、表示面を有する表示部と、を備え、前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力する電話機能付き機器の制御方法であって、
ユーザが前記表示領域に表示された動画を見ていないと看做されるための第１判定条件が満たされたか否かを判定するステップと、
前記第１判定条件が満たされたと判定された場合に、前記通信先の機器に動画の送信を抑制させるための送信抑制信号を出力するステップと、
を含む制御方法。
【発明の詳細な説明】
【技術分野】
【０００１】
本発明は、テレビ電話機能を備える携帯電話機、ＰＤＡ（Personal DigitalAssistant）、タブレットＰＣ（Tablet PC）等のテレビ電話機能付き機器に関する。また、本発明は、かかるテレビ電話機能付き機器に用いて好適なプログラムおよび制御方法に関する。
【背景技術】
【０００２】
従来、テレビ電話機能を備える携帯電話機が知られている。テレビ電話機能が実行されると、互いの携帯電話機において、カメラで撮影した動画（動画データ）が音声とともに送受信される。これにより、ユーザは、表示面に表示された通信相手の動画を見ながら通信相手との通話を行うことができる。
【０００３】
テレビ電話機能においては、動画の送受信を行うため、互いの携帯電話機の間で大量のデータのやり取りが行われる。
【０００４】
なお、送信装置から通信端末へ画像が送信されるシステムにおいて、送信される画像における通信端末側利用者の視線が向けられている領域を高解像度とし、送信される画像における他の領域を低解像度とする画像データの伝送方法が既に知られている（特許文献１参照）。
【先行技術文献】
【特許文献】
【０００５】
【特許文献１】特許第４４５６７９１号公報
【発明の概要】
【発明が解決しようとする課題】
【０００６】
テレビ電話機能を備える携帯電話機では、上述したように、互いの携帯電話機の間で大量のデータのやり取りが必要となるため、携帯電話機の消費電力が増加するとの課題、携帯電話機の処理負荷が増加するとの課題、さらには、ネットワークリソースの確保が困難になるとの課題が生じ得る。
【０００７】
本発明は、機器の消費電力の低減および処理負荷の軽減を図ることができるとともに、ネットワークリソースの有効活用を図ることができるテレビ電話機能付き機器、プログラムおよびテレビ電話機能付き機器の制御方法を提供することを目的とする。
【課題を解決するための手段】
【０００８】
本発明の第１の態様に係るテレビ電話機能付き機器は、データの送受信を行う通信部と、被写体を撮影する撮影部と、音声の入力を受け付ける音声入力部と、音声を出力する音声出力部と、表示面を有する表示部と、前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力する通話制御部と、を備える。ここで、前記通話制御部は、ユーザが前記表示領域に表示された動画を見ていないと看做されるための第１判定条件が満たされた場合に、前記通信先の機器に動画の送信を抑制させるための送信抑制信号を出力する。
【０００９】
本態様に係るテレビ電話機能付き機器において、前記通話制御部は、前記送信抑制信号
により前記通信先の機器からの動画の送信が抑制されている状態において、ユーザが前記表示領域に表示された動画を見ていると看做されるための第２判定条件が満たされた場合に、前記通信先の機器に動画の送信の抑制を解除させるための抑制解除信号を出力するような構成とされ得る。
【００１０】
本態様に係るテレビ機能付き機器は、前記表示面上におけるユーザの視線位置を検出する視線検出部をさらに備えるような構成とされ得る。この場合、前記通話制御部は、前記視線位置が前記表示領域から外れたことに基づいて前記送信抑制信号を出力し、前記視線位置が前記表示領域内に復帰したことに基づいて前記抑制解除信号を出力する。
【００１１】
本態様に係るテレビ電話機能付き機器において、前記通話制御部は、前記表示面に前記表示領域を含む第１判定領域を設定し、前記第１判定領域内に位置していた前記視線位置が前記第１判定領域外へ移動したことに基づいて前記送信抑制信号を出力し、前記第１判定領域外に位置していた前記視線位置が前記第１判定領域内へ移動したことに基づいて前記抑制解除信号を出力するような構成とされ得る。
【００１２】
このような構成とした場合、さらに、前記第１判定領域は前記表示領域よりも広くされ得る。
【００１３】
本態様に係るテレビ電話機能付き機器において、前記送信抑制信号は、前記通信先の機器に動画の送信を停止させるための送信停止信号または前記通信先の機器に動画の転送レートを低下させるためのレート低下信号を含み得る。
【００１４】
このような構成とした場合、さらに、前記通話制御部は、前記第１判定領域の周囲に第２判定領域を設定し、前記第２判定領域外に位置していた前記視線位置が前記第２判定領域内に移動したことに基づいて、前記レート低下信号を出力し、前記第２判定領域の外側の領域より内側に位置していた前記視線位置が前記外側の領域内に移動したことに基づいて、前記送信停止信号を出力するような構成とされ得る。
【００１５】
前記送信抑制信号が前記送信停止信号を含むような構成とした場合、前記送信停止信号は、前記通信先の機器に動画の送信を停止させるとともに動画に替えて前記撮影部により撮影された静止画を所定の更新時間間隔で送信させるための第１停止信号、および前記通信先の機器に動画の送信を停止させるとともに前記撮影部により撮影された静止画を送信させない第２停止信号を含み得る。
【００１６】
このような構成とした場合、さらに、前記通話制御部は、前記第１判定領域の周囲に第２判定領域を設定するとともに当該第２判定領域の周囲に第３判定領域を設定し、前記第２判定領域外に位置していた前記視線位置が前記第２判定領域内に移動したことに基づいて、前記レート低下信号を出力し、前記第３判定領域外に位置していた前記視線位置が前記第３判定領域内に移動したことに基づいて、前記第１停止信号を出力し、前記第３判定領域の外側の領域より内側に位置していた前記視線位置が前記外側の領域内に移動したことに基づいて、前記第２停止信号を出力するような構成とされ得る。
【００１７】
本態様に係るテレビ電話機能付き機器は、前記テレビ電話機能付き機器への検出対象物の近接を検出する近接検出部をさらに備えるような構成とされ得る。この場合、前記通話制御部は、前記近接検出部により検出対象物の近接が検出されなくなったことに基づいて前記送信抑制信号を出力する。
【００１８】
本態様に係るテレビ電話機能付き機器は、前記撮影部により撮影された画像の中からユーザの画像を検出する画像検出部をさらに備えるような構成とされ得る。この場合、前記
通話制御部は、前記画像検出部によりユーザの画像が検出されなくなったことに基づいて前記送信抑制信号を出力する。
【００１９】
本発明の第２の態様に係るテレビ電話機能付き機器は、データの送受信を行う通信部と、被写体を撮影する撮影部と、音声の入力を受け付ける音声入力部と、音声を出力する音声出力部と、表示面を有する表示部と、前記撮影部により撮影された動画および前記音声入力部に入力された音声を、前記通信部を介して通信先の機器へ送信し、前記通信先の機器から前記通信部に動画および音声が受信されると、受信された動画を前記表示面に表示するとともに、受信された音声を前記音声出力部から出力する通話制御部と、を備える。ここで、前記通話制御部は、ユーザが前記通信先の機器の表示面に表示された動画を見ていないと看做されるための第１判定条件が満たされた場合に前記通信先の機器から出力される送信抑制信号に基づいて、前記通信先の機器への動画の送信を抑制する。
【００２０】
本発明の第３の態様に係るプログラムは、データの送受信を行う通信部と、被写体を撮影する撮影部と、音声の入力を受け付ける音声入力部と、音声を出力する音声出力部と、表示面を有する表示部と、を備え、前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力するテレビ電話機能付き機器のコンピュータに、ユーザが前記表示領域に表示された動画を見ていないと看做されるための第１判定条件が満たされたか否かを判定する機能と、前記第１判定条件が満たされたと判定された場合に、前記通信先の機器に動画の送信の抑制を解除させるための抑制解除信号を出力する機能と、を付与する。
【００２１】
本発明の第４の態様は、データの送受信を行う通信部と、被写体を撮影する撮影部と、音声の入力を受け付ける音声入力部と、音声を出力する音声出力部と、表示面を有する表示部と、を備え、前記撮影部により撮影された動画および前記音声入力部に入力された音声を、前記通信部を介して通信先の機器へ送信し、前記通信部に前記通信先の機器からの動画および音声が受信されると、受信された動画を前記表示面に設定された表示領域に表示するとともに、受信された音声を前記音声出力部から出力する電話機能付き機器の制御方法に関する。本態様に係る制御方法は、ユーザが前記表示領域に表示された動画を見ていないと看做されるための第１判定条件が満たされたか否かを判定するステップと、前記第１判定条件が満たされたと判定された場合に、前記通信先の機器に動画の送信の抑制を解除させるための抑制解除信号を出力するステップと、を含む。
【発明の効果】
【００２２】
本発明によれば、機器の消費電力の低減および処理負荷の軽減を図ることができるとともに、ネットワークリソースの有効活用を図ることができるテレビ電話機能付き機器、プログラムおよびテレビ電話機能付き機器の制御方法を提供することができる。
【００２３】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２４】
【図１】実施の形態に係る、携帯電話機の構成を示す図である。
【図２】実施の形態に係る、携帯電話機の全体構成を示すブロック図である。
【図３】実施の形態に係る、視線検出部による視線位置の検出について説明するための図である。
【図４】実施の形態に係る、動画・音声受信処理の処理手順を示すフローチャートである。
【図５】実施の形態に係る、テレビ電話の通話時に表示面に表示されるテレビ電話画面の一例を示す図である。
【図６】実施の形態に係る、動画データ量調整処理の処理手順を示すフローチャートである。
【図７】実施の形態に係る、動画・音声送信処理の処理手順を示すフローチャートである。
【図８】実施の形態に係る、ユーザＡとユーザＢとが携帯電話機を使用してテレビ電話を行う場合の例を示す図である。
【図９】実施の形態に係る、ユーザＡが、ユーザＢおよびユーザＣの二者と同時にテレビ電話を行った場合の例を示す図である。
【図１０】変更例１に係る、動画データ量調整処理の処理手順を示すフローチャートである。
【図１１】変更例１に係る、動画データ量調整処理の処理手順を示すフローチャートである。
【図１２】変更例１に係る、動画標準送信領域の周囲に設定される動画送信抑制領域、第１静止画送信領域および第２静止画送信領域を示す図である。
【図１３】変更例１に係る、動画・音声送信処理について説明するための図である。
【図１４】変更例２に係る、携帯電話機の全体構成を示すブロック図である。
【図１５】変更例２に係る、動画データ量調整処理の処理手順を示すフローチャートである。
【図１６】変更例３に係る、携帯電話機の全体構成を示すブロック図である。
【図１７】変更例３に係る、動画データ量調整処理の処理手順を示すフローチャートである。
【図１８】その他の変更例について説明する端の図である。
【発明を実施するための形態】
【００２５】
以下、本発明の実施形態について、図面を参照して説明する。
【００２６】
図１は、携帯電話機１の構成を示す図である。図１（ａ）および（ｂ）は、それぞれ、携帯電話機１の正面図および背面図である。
【００２７】
以下、説明の便宜上、図１に示すように、キャビネット２の長手方向を上下方向と定義し、キャビネット２の短手方向を左右方向と定義する。
【００２８】
携帯電話機１は、キャビネット２と、表示面３と、マイクロフォン４と、通話スピーカ５と、キー操作部６と、外部スピーカ７と、カメラ８と、赤外線カメラ９と、赤外線ＬＥＤ１０を備えている。
【００２９】
キャビネット２は、正面から見て、ほぼ長方形状を有する。キャビネット２の正面に、後述する表示部１３の表示面３が配されている。表示面３には、各種の画像（画面）が表示される。
【００３０】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００３１】
キャビネット２の正面には、キー操作部６が設けられている。キー操作部６は、設定キ
ー６ａ、ホームキー６ｂ、およびバックキー６ｃから構成されている。設定キー６ａは、主に、各種設定を行う設定画面を表示面３に表示させるためのキーである。ホームキー６ｂは、主に、ホーム画面を表示面３に表示させるためのキーである。バックキー６ｃは、主に、実行された処理を１ステップ前の処理に戻すためのキーである。
【００３２】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３３】
通話スピーカ５の右隣りには、カメラ８が配されている。キャビネット２の正面には、レンズ窓８ａが設けられており、レンズ窓８ａを通じて被写体の像がカメラ８に取り込まれる。
【００３４】
通話スピーカ５の左隣りには、赤外線カメラ９が配されている。キャビネット２の正面には、レンズ窓９ａが設けられており、レンズ窓９ａを通じて被写体の像が赤外線カメラ９に取り込まれる。
【００３５】
マイクロフォン４の左隣りには、赤外光を発する赤外線ＬＥＤ１０が配されている。赤外線ＬＥＤ１０の発光面は外部に露出している。赤外線ＬＥＤ１０は、キャビネット２の左右方向において、赤外線カメラ９と同じ位置に配されている。
【００３６】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、第１撮影部２０と、第２撮影部２１と、赤外光出力部２２とを備えている。
【００３７】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理等）を含む。プログラムは、メーカによって携帯電話機１の製造時に記憶部１２に記憶される他、ユーザによって通信網や記憶媒体を介して記憶部１２に記憶される。
【００３８】
記憶部１２には、プログラムの実行の際、一時的に利用または生成されるデータを記憶する図示しないワーキング領域も含まれる。
【００３９】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、第１撮影部２０、第２撮影部２１、赤外光出力部２２等）を制御する。
【００４０】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００４１】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００４２】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００４３】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに表示面３より指を離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００４４】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００４５】
音声入力部１５は、マイクロフォン４等から構成される。音声入力部１５は、マイクロフォン４からの電気信号を音声処理部１７へ出力する。
【００４６】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００４７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４８】
キー入力部１８は、キー操作部６の各操作キーが押下されたときに、押下された操作キーに応じた信号を制御部１１へ出力する。
【００４９】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００５０】
第１撮影部２０は、カメラ８等により構成され、カメラ８により撮影された画像の画像データに各種の画像処理を施し、画像処理後の画像データを制御部１１に出力する。
【００５１】
第２撮影部２１は、赤外線カメラ９等により構成され、赤外線カメラ９により撮影された画像の画像データに画像処理を施し、モノクロの画像データを制御部１１に出力する。
【００５２】
赤外光出力部２２は、赤外線ＬＥＤ１０、ＬＥＤ駆動回路等により構成される。ＬＥＤ駆動回路は、制御部１１からの制御信号に従って赤外線ＬＥＤ１０を駆動する。
【００５３】
本実施の形態の携帯電話機１は、テレビ電話機能を備える。テレビ電話機機能を実行するため、制御部１１は、視線検出部３１と、通話制御部３２を備える。
【００５４】
視線検出部３１は、第２撮影部２１（赤外線カメラ９）により撮影されたユーザの目の動きに基づいて、表示面３上におけるユーザの視線位置を検出する。
【００５５】
図３は、視線検出部３１による視線位置の検出について説明するための図である。図３を参照し、視線位置の検出について詳細に説明する。
【００５６】
視線位置の検出のために、赤外線カメラ９による撮影が行われるとともに赤外線ＬＥＤ１０から赤外光が発せられる。ユーザが、表示面３に目を向けると、赤外線カメラ９により、ユーザの目と目に反射した赤外光（以下、「反射光」という）とを含む画像が撮影される。
【００５７】
視線検出部３１は、赤外線カメラ９による撮影画像から瞳孔および反射光を検出し、図３（ａ）に示すように、反射光の中心Ａから瞳孔の中心Ｂに向けたベクトル（以下、「視線ベクトル」という）を算出する。視線ベクトルは、赤外線カメラ９による撮影画像に対応する予め定められた座標系を用いることにより算出される。
【００５８】
視線位置の検出方法について具体的に説明する。表示面３は、グリッドにより複数の領域に分割されている。図３（ｂ）には、一例として、表示面３が縦１１列、横５列の５５個の領域に分割された構成が示されている。各分割領域には、識別情報Ｄ１〜Ｄ５５が付され、各識別情報に対応して各分割領域の位置と大きさを示す座標の情報が記憶部１２に記憶される。なお、図３（ｂ）の例に限られず、分割領域の個数や形状は任意に設定され得る。
【００５９】
図３（ｃ）は、ユーザが最上列の左端の分割領域Ｄ１を注視したときの目の動きを例示する図であり、図３（ｄ）は、ユーザが最上列の右端の分割領域Ｄ５を注視したときの目の動きを例示する図である。図３（ｃ）および（ｄ）に示すように、ユーザの視線の変化に応じて、反射光と瞳孔との位置関係が変化し、視線ベクトルが変化する。
【００６０】
視線位置の検出が行われる前には校正処理が行われる。校正処理では、たとえば、各分割領域が順番に所定の色に変化することにより、ユーザの視線が各分割領域に誘導される。ユーザが各分割領域を注視したときの視線ベクトルが視線検出部３１により算出され、基準ベクトルとして記憶部１２に記憶される。
【００６１】
視線位置の検出が行われた際、視線検出部３１は、実際に取得された視線ベクトルと最も近似する基準ベクトルを検出することにより、基準ベクトルに対応する分割領域にユーザの視線位置があると決定する。また、視線検出部３１は、実際に取得された視線ベクトルに近似する基本ベクトルが存在しない場合、ユーザの視線位置が表示面３から外れていると決定する。
【００６２】
通話制御部３２は、テレビ電話機能に係る通話を制御する。即ち、テレビ電話の通信路が確立されて、通話が開始されると、通話制御部３２は、後述する動画・音声受信処理、動画・音声送信処理および動画データ量調整処理を並列して実行する。これらの処理は、記憶部１２に記憶された制御プログラムに従って実行される。
【００６３】
動画・音声受信処理において、通話制御部３２は、通信部１９に通信先の機器からの動画および音声が受信されると、受信された動画を表示面３に設定された映像表示領域ＲＡに表示するとともに、受信された音声を外部スピーカ７から出力する。
【００６４】
動画・音声送信処理において、通話制御部３２は、第１撮影部２０（カメラ８）により撮影された動画（動画データ）および音声入力部１５に入力された音声（音声データ）を、通信部１９を介して通信先の機器（たとえば、携帯電話機）へ送信する。また、動画・音声送信処理において、通話制御部３２は、通信先の機器の表示面上に設定された映像表示領域からユーザの視線位置が外れた場合に通信先の機器から出力される送信停止信号に基づいて、通信先の機器への動画の送信を停止し、視線位置が映像表示領域に復帰した場合に通信先の機器から出力される抑制解除信号に基づいて、通信先の機器への動画の送信を再開する。
【００６５】
動画データ量調整処理において、通話制御部３２は、視線検出部３１による検出結果に基づいて、ユーザの視線位置が映像表示領域ＲＡから外れたか否かを判定する。通話制御部３２は、視線位置が映像表示領域ＲＡから外れたことに基づいて、通信先の機器に動画の送信を抑制させるための送信抑制信号を出力する。さらに、通話制御部３２は、視線検出部３１による検出結果に基づいて、ユーザの視線位置が映像表示領域ＲＡ内に復帰したか否かを判定する。通話制御部３２は、視線位置が映像表示領域ＲＡ内に復帰したことに基づいて、通信先の機器に動画の送信の抑制を解除させるための抑制解除信号を出力する。
【００６６】
以下、動画・音声受信処理、動画・音声送信処理、および動画データ量調整処理について、詳細に説明する。
【００６７】
図４は、動画・音声受信処理の処理手順を示すフローチャートである。図５は、テレビ電話の通話時に表示面３に表示されるテレビ電話画面１０１の一例を示す図である。図４および図５を参照して、動画・音声受信処理について説明する。
【００６８】
処理が開始されると、通話制御部３２は、図５に示すようなテレビ電話画面１０１を表示面３に表示する（Ｓ１０１）。さらに、通話制御部３２は、表示面３上、即ちテレビ電話画面１０１上に映像表示領域ＲＡを設定する（Ｓ１０２）。なお、本実施の形態において、テレビ電話機能の実行時には、携帯電話機１が横向きの状態で使用され、横向きに対応するテレビ電話画面１０１が表示面３に表示される。テレビ電話画面１０１において、映像表示領域ＲＡより外側の領域には、通信相手の連絡先情報などテレビ電話に係る情報やその他の情報が表示される。
【００６９】
通信先の機器、たとえば携帯電話機からは、携帯電話機のカメラで撮影された通信相手の動画（動画データ）、および通信相手が発した音声（音声データ）が送信される。通話制御部３２は、携帯電話機からの動画および音声の受信を開始する（Ｓ１０３）。なお、通信先の携帯電話機は、本実施の形態の携帯電話機１と同様な構成を有し、後述する動画・音声送信処理を実行する。
【００７０】
通話制御部３２は、動画が受信されなくなったか否かを監視する（Ｓ１０４）。ユーザの視線が映像表示領域ＲＡ内に向けられている場合には、後述の動画データ量調整処理において、送信停止信号が出力されず、通信先の携帯電話機が動画の送信を停止しないため、動画の受信が継続される。通話制御部３２は、動画の受信が継続されている場合（Ｓ１０４：ＮＯ）、受信した動画を映像表示領域ＲＡに表示する（Ｓ１０５）。さらに、通話制御部３２は、受信した音声を外部スピーカ７から出力する（Ｓ１０６）。
【００７１】
ユーザによりテレビ電話を終了させる操作、たとえば、通話を終了する操作やテレビ電話から通常の音声による電話に切り替える操作がなされなければ（Ｓ１０７：ＮＯ）、ステップＳ１０４からＳ１０７の処理が繰り返される。
【００７２】
ユーザの視線が映像表示領域ＲＡ内から外れた場合には、後述の動画データ量調整処理において、送信停止信号が出力され、通信先の携帯電話機が動画の送信を停止する。
【００７３】
通話制御部３２は、動画が受信されなくなると（Ｓ１０４：ＹＥＳ）、受信された動画の最後のフレームの画像を映像表示領域ＲＡに表示させ続け（Ｓ１０８）、受信した音声を外部スピーカ７から出力する（Ｓ１０９）。
【００７４】
通話制御部３２は、動画の受信が再開された否かを監視する（Ｓ１１０）。動画の受信が再開されない場合には（Ｓ１１０：ＮＯ）、テレビ電話を終了させる操作がなされたか否かを判定する（Ｓ１１１）。テレビ電話を終了させる操作がなされなければ（Ｓ１１１：ＮＯ）。ステップＳ１０８からＳ１１１の処理が繰り返される。
【００７５】
ユーザの視線が再び映像表示領域ＲＡ内に向けられると、後述の動画データ量調整処理において、抑制解除信号が出力され、通信先の携帯電話機が動画の送信が再開する。動画か再び受信されると（Ｓ１１０：ＹＥＳ）、通話制御部３２は、受信した動画を映像表示領域ＲＡに表示する（Ｓ１０５）。
【００７６】
通話制御部３２は、テレビ電話を終了させる操作がなされると（Ｓ１０７：ＹＥＳ、Ｓ１１１：ＹＥＳ）、動画および音声の受信を停止し（Ｓ１１２）、テレビ電話画面１０１を閉じる（Ｓ１１３）。こうして、動画・音声受信処理が終了する。なお、既に、動画の送信が停止されている場合には、ステップＳ１１２の処理において、音声の受信のみが停止される。
【００７７】
図６は、動画データ量調整処理の処理手順を示すフローチャートである。図７を参照して、動画データ量調整処理について説明する。
【００７８】
処理が開始されると、通話制御部３２は、図５に示すように、表示面３上、即ち、通話・音声受信処理により表示面３に表示されたテレビ電話画面１０１上に動画標準送信領域ＲＢを設定する（Ｓ２０１）。動画標準送信領域ＲＢは、ユーザの視線位置が映像表示領域ＲＡから外れたか否かおよび映像表示領域ＲＡに復帰したか否かの判定に用いるために設定される。動画標準送信領域ＲＢは、映像表示領域ＲＡを含み、且つ映像表示領域ＲＡよりも僅かに広くされている。
【００７９】
たとえば、動画標準送信領域ＲＢに割り当てられる分割領域と動画標準送信領域ＲＢの外の領域に割り当てられる分割領域とが決定され、記憶部１２に記憶される。ユーザの視線位置が何れの分割領域に位置するかが検出されることにより、視線位置が動画標準送信領域ＲＢ内に位置するか動画標準送信領域ＲＢ外に位置するかの判定を行うことができる。
【００８０】
通話制御部３２は、赤外線カメラ９および赤外線ＬＥＤ１０を作動させ、視線検出部３１に、ユーザの視線位置の検出を開始させる（Ｓ２０２）。通話制御部３２は、視線検出部３１による検出結果に基づいて、動画標準送信領域ＲＢ内に位置していたユーザの視線位置が動画標準送信領域ＲＢ外へ移動したか否かを判定する（Ｓ２０３）。さらに、通話制御部３２は、動画標準送信領域ＲＢ外に位置していたユーザの視線位置が動画標準送信領域ＲＢ内へ移動したか否かを判定する（Ｓ２０４）。
【００８１】
ユーザが表示面３の一点に視線を向けた場合であっても、ユーザの視線位置は常に一定でなく僅かに揺れる。このため、動画標準送信領域ＲＢの境界付近にユーザの視線が向けられた場合、視線の揺れによって、動画標準送信領域ＲＢ内への視線位置の出入りが繰り
返され、送信停止信号と抑制解除信号の出力が繰り返されてしまう虞がある。このような問題を解消するため、本実施の形態では、通話制御部３２は、視線位置が、動画標準送信領域ＲＢ外へ移動した後に一定時間、動画標準送信領域ＲＢ外に留まった場合に、視線位置が動画標準送信領域ＲＢ外へ移動したと判定する。同様に、通話制御部３２は、視線位置が、動画標準送信領域ＲＢ内へ移動した後に一定時間、動画標準送信領域ＲＢ内に留まった場合に、視線位置が動画標準送信領域ＲＢ内へ移動したと判定する。
【００８２】
ユーザが映像表示領域ＲＡ内から視線を外すことにより、視線位置が動画標準送信領域ＲＢ外へ移動し、一定時間、動画標準送信領域ＲＢ外に留まる。通話制御部３２は、視線位置が動画標準送信領域ＲＢ外へ移動したと判定すると（Ｓ２０３：ＹＥＳ）、通信部１９を介して送信停止信号を通話先の携帯電話機へ送信する（Ｓ２０５）。通信先の携帯電話機は、送信停止信号を受信すると、動画の送信を停止する。
【００８３】
その後、ユーザが外した視線を映像表示領域ＲＡに復帰させることにより、視線位置が動画標準送信領域ＲＢ内へ移動し、一定時間、動画標準送信領域ＲＢ内に留まる。通話制御部３２は、視線位置が動画標準送信領域ＲＢ内へ移動されたと判定すると（Ｓ２０４：ＹＥＳ）、通信部１９を介して抑制解除信号を通話先の携帯電話機へ送信する（Ｓ２０６）。通信先の携帯電話機は、抑制解除信号を受信すると、動画の送信を再開する。
【００８４】
通話制御部３２は、ユーザによりテレビ電話を終了させる操作がなされると（Ｓ２０７：ＹＥＳ）、赤外線カメラ９および赤外線ＬＥＤ１０を停止させ、視線検出部３１に、ユーザの視線位置の検出を終了させる（Ｓ２０８）。こうして、動画データ量調整処理が終了する。
【００８５】
図７は、動画・音声送信処理の処理手順を示すフローチャートである。図６を参照して、動画・音声送信処理について説明する。
【００８６】
処理が開始されると、通話制御部３２は、カメラ８およびマイクロフォン４を作動する（Ｓ３０１）。通話制御部３２は、カメラ８で撮影されたユーザの動画（動画データ）の送信、およびマイクロフォン４に入力された音声（音声データ）の送信を開始する（Ｓ３０２）。
【００８７】
通話制御部３２は、通信先の携帯電話機からの送信停止信号を受信したか否かを判定する（Ｓ３０３）。
【００８８】
通信先の携帯電話機において、上述した図６の動画データ量調整処理が実行される場合、通信相手が映像表示領域ＲＡから視線を外すと、通信先の携帯電話機から送信停止信号が出力される。通話制御部３２は、送信停止信号を受信すると（Ｓ３０３：ＹＥＳ）、通信先の携帯電話機への動画の送信を停止する（Ｓ３０４）。
【００８９】
通話制御部３２は、通信先の携帯電話機から抑制解除信号を受信したか否かを判定する（Ｓ３０５）。
【００９０】
通信先の携帯電話機において、通信相手が映像表示領域ＲＡに視線を戻すと、抑制解除信号が出力される。通話制御部３２は、抑制解除信号を受信すると（Ｓ３０５：ＹＥＳ）、通信先の携帯電話機への動画の送信を再開する（Ｓ３０６）。
【００９１】
通話制御部３２は、テレビ電話を終了させる操作がなされると（Ｓ３０７：ＹＥＳ、Ｓ３０８：ＹＥＳ）、動画および音声の送信を停止し（Ｓ３０９）、カメラ８およびマイクロフォン４を停止させる（Ｓ３１０）。こうして、動画・音声送信処理が終了する。なお
、既に、動画の送信が停止されている場合には、ステップＳ３０９の処理において、音声の送信のみが停止される。
【００９２】
図８は、ユーザＡとユーザＢとが携帯電話機１を使用してテレビ電話を行う場合の例を示す図である。図８（ａ）は、ユーザＡの携帯電話機１とユーザＢの携帯電話機１との間で行われる動作を示す図である。図８（ｂ）は、ユーザＡが映像表示領域ＲＡに視線を向けている様子を示す図である。図８（ｃ）は、ユーザＡが映像表示領域ＲＡから視線を外した様子を示す図である。
【００９３】
図８（ｂ）に示すように、ユーザＡが映像表示領域ＲＡに視線を向けている間は、ユーザＡの携帯電話機１からユーザＢの携帯電話機１へ動画および音声が送信され、ユーザＢの携帯電話機１からユーザＡの携帯電話機１へ動画および音声が送信される。ユーザＡの携帯電話機１では、映像表示領域ＲＡに通信相手の動画が表示される。
【００９４】
その後、図８（ｃ）に示すように、ユーザＡが映像表示領域ＲＡから視線を外すと、視線が外れたと判定されて、ユーザＡの携帯電話機１からユーザＢの携帯電話機１へ送信停止信号が送信される。これにより、ユーザＢの携帯電話機１では、動画の送信が停止され、ユーザＢの携帯電話機１からは、音声のみが送信される。ユーザＡの携帯電話機１では、映像表示領域ＲＡに、送信停止前に表示されていた動画の最後のフレームの画像が表示される。
【００９５】
その後、図８（ｂ）に示すように、ユーザＡが映像表示領域ＲＡに視線を戻すと、視線が戻ったと判定されて、ユーザＡの携帯電話機１からユーザＢの携帯電話機１へ抑制解除信号が送信される。これにより、ユーザＢの携帯電話機１では、動画の送信が再開され、ユーザＢの携帯電話機１からは、再び、動画および音声が送信される。
【００９６】
図９は、ユーザＡが、ユーザＢおよびユーザＣの二者と同時にテレビ電話を行った場合の例を示す図である。図９（ａ）は、ユーザＡがユーザＢに対応する映像表示領域ＲＡ１に視線を向けている様子を示す図である。図９（ｂ）は、ユーザＡがユーザＣに対応する映像表示領域ＲＡ２に視線を向けている様子を示す図である。図９（ｃ）は、ユーザＡが映像表示領域ＲＡ１および映像表示領域ＲＡ２から視線を外した様子を示す図である。
【００９７】
ユーザＡの携帯電話機１では、ユーザＢとのテレビ電話に対応する動画・音声受信処理、動画・音声送信処理、および動画データ量調整処理と、ユーザＣとのテレビ電話に対応する動画・音声受信処理、動画・音声送信処理、および動画データ量調整処理とが並列して実行される。
【００９８】
表示面３に表示されたテレビ電話画面１０１には、ユーザＢに対応する映像表示領域ＲＡ１とユーザＣに対応する映像表示領域ＲＡ２とが設定される。さらに、テレビ電話画面１０１には、ユーザＢに対応する動画標準送信領域ＲＢ１とユーザＣに対応する動画標準送信領域ＲＢ２とが設定される。
【００９９】
図９（ａ）に示すように、ユーザＡが映像表示領域ＲＡ１に視線を向けている場合、ユーザＡの携帯電話機１からユーザＣの携帯電話機１へ送信停止信号が出力され、ユーザＣの携帯電話機１からの動画の送信が停止される。このため、映像表示領域ＲＡ１には動画が表示されるが、映像表示領域ＲＡ２には送信停止前に表示されていた動画の最後のフレームの画像が表示される。
【０１００】
図９（ｂ）に示すように、ユーザＡが映像表示領域ＲＡ２に視線を向けている場合、ユーザＡの携帯電話機１からユーザＢの携帯電話機１へ送信停止信号が出力され、ユーザＢ
の携帯電話機１からの動画の送信が停止される。このため、映像表示領域ＲＡ２には動画が表示されるが、映像表示領域ＲＡ１には送信停止前に表示されていた動画の最後のフレームの画像が表示される。
【０１０１】
図９（ｃ）に示すように、ユーザＡが映像表示領域ＲＡ１および映像表示領域ＲＡ２から視線を外した場合、ユーザＡの携帯電話機１からユーザＢの携帯電話機１とユーザＣの携帯電話機１へ送信停止信号が出力され、ユーザＢの携帯電話機１およびユーザＣの携帯電話機１からの動画の送信が停止される。このため、映像表示領域ＲＡ１および映像表示領域ＲＡ２には、送信停止前に表示されていた動画の最後のフレームの画像が表示される。
【０１０２】
なお、図６に示す動画データ量調整処理において、動画標準送信領域ＲＢ内に位置していたユーザの視線位置が動画標準送信領域ＲＢ外へ移動したと判定された場合に（Ｓ２０３：ＹＥＳ）、ステップＳ２０５の処理で、送信停止信号に替えて、レート低下信号が出力されてもよい。この場合、通信先の携帯電話機１では、図７に示す動画・音声送信処理のステップ３０４において、通話制御部３２が、ユーザの視線位置が動画標準送信領域ＲＢ内に位置していたときよりも低い転送レートで動画を送信する。そして、図４に示す動画・音声受信処理のステップＳ１０８では、通話制御部３２が、それまでの解像度よりも低い解像度の動画を映像表示領域ＲＡに表示する。
【０１０３】
以上、本実施の形態によれば、ユーザが、通信先の機器（携帯電話機など）から送信される通信相手の動画を見ていない状態になると、通信先の機器からの動画の送信が抑制される。即ち、通信先の機器からの動画の送信が停止される。あるいは、通信先の機器からの動画の転送レートが低減される。よって、ネットワークを通じて携帯電話機１に受信される動画のデータ量を低減できるので、携帯電話機１の消費電力の低減および処理負荷の軽減を図ることが可能となるとともに、ネットワークリソースの有効活用を図ることが可能となる。
【０１０４】
さらに、本実施の形態によれば、動画標準送信領域ＲＢが、映像表示領域ＲＡよりも広い領域となるように設定されている。抑制解除信号が出力されてから動画が再受信されるまでには多少のタイムラグが見込まれるが、このように、映像表示領域ＲＡより広い動画標準送信領域ＲＢまでユーザの視線位置が戻った時点で動画の送信が再開されるので、視線位置が映像表示領域ＲＡに戻った時点で、できるだけ早く動画の表示を再開させることが可能となる。
【０１０５】
さらに、本実施の形態によれば、表示面３上におけるユーザの視線位置を検出するようにしているので、ユーザが映像表示領域ＲＡに表示された動画を見ているか否を精度良く判定することができる。
【０１０６】
＜変更例１＞
本変更例では、ユーザの視線位置を判定するために用いられる判定領域として、動画標準送信領域ＲＢの他に、動画標準送信領域ＲＢの周囲に３つの判定領域が設定され、視線位置が何れの判定領域に移動するかに応じて通信先の機器から送信される動画のデータ量が調整される。
【０１０７】
図１０および図１１は、本変更例に係る、動画データ量調整処理の処理手順を示すフローチャートである。図１２は、動画標準送信領域ＲＢの周囲に設定される動画送信抑制領域ＲＣ、第１静止画送信領域ＲＤおよび第２静止画送信領域ＲＥを示す図である。図１０ないし図１２を参照して、本変更例の動画データ量調整処理について説明する。
【０１０８】
処理が開始されると、通話制御部３２は、図１２に示すように、表示面３上、即ち、通話・音声受信処理により表示面３に表示されたテレビ電話画面１０１上に各判定領域ＲＢ〜ＲＥを設定する（Ｓ４０１）。即ち、通話制御部３２は、動画標準送信領域ＲＢを設定し、動画標準送信領域ＲＢの周囲に動画送信抑制領域ＲＣを設定する。さらに、通話制御部３２は、動画送信抑制領域ＲＣの周囲に第１静止画送信領域ＲＤを設定し、第１静止画送信領域ＲＤの周囲に第２静止画送信領域ＲＥを設定する。第２静止画送信領域ＲＥの外周は、表示面３の外周とほぼ等しくされている。
【０１０９】
通話制御部３２は、赤外線カメラ９および赤外線ＬＥＤ１０を作動させ、視線検出部３１に、ユーザの視線位置の検出を開始させる（Ｓ４０２）。通話制御部３２は、視線検出部３１による検出結果に基づいて、動画送信抑制領域ＲＣ外に位置していたユーザの視線位置が動画送信抑制領域ＲＣ内へ移動したか否かを判定する（Ｓ４０３）。また、通話制御部３２は、第１静止画送信領域ＲＤ外に位置していたユーザの視線位置が第１静止画送信領域ＲＤ内へ移動したか否かを判定する（Ｓ４０４）。さらに、通話制御部３２は、第２静止画送信領域ＲＥ外に位置していたユーザの視線位置が第２静止画送信領域ＲＥ内へ移動したか否かを判定する（Ｓ４０５）。さらに、通話制御部３２は、第２静止画送信領域ＲＥの外側の領域外に位置していたユーザの視線位置が第２静止画送信領域ＲＥの外側の領域内へ移動したか否かを判定する（Ｓ４０６）。さらに、通話制御部３２は、動画標準送信領域ＲＢ外に位置していたユーザの視線位置が動画標準送信領域ＲＢ内へ移動したか否かを判定する（Ｓ４０７）。  上記実施の形態と同様、通話制御部３２は、視線位置が、各判定領域ＲＢ〜ＲＥへ移動した後に一定時間、各判定領域ＲＢ〜ＲＥ内に留まった場合に、視線位置が各判定領域ＲＢ〜ＲＥへ移動したと判定する。また、通話制御部３２は、視線位置が、第２静止画送信領域ＲＥの外側の領域へ移動した後に一定時間、外側の領域に留まった場合に、外側の領域へ移動したと判定する。
【０１１０】
ユーザが映像表示領域ＲＡ、即ち動画標準送信領域ＲＢから視線位置を外し、視線位置が、一定時間、動画送信抑制領域ＲＣ内に留まると、通話制御部３２は、視線位置が動画送信抑制領域ＲＣ内へ移動したと判定する（Ｓ４０３：ＹＥＳ）。これにより、通話制御部３２は、通信部１９を介してレート低下信号を通話先の携帯電話機へ送信する（Ｓ４０８）。通信先の携帯電話機は、レート低下信号を受信すると、動画の転送レートを低下させ、視線位置が動画標準送信領域ＲＢに位置しているときよりも低い転送レート（低転送レート）で動画を送信する。
【０１１１】
映像表示領域ＲＡから外れたユーザの視線位置が、一定時間、第１静止画送信領域ＲＤ内に留まると、通話制御部３２は、視線位置が第１静止画送信領域ＲＤ内へ移動したと判定する（Ｓ４０４：ＹＥＳ）。これにより、通話制御部３２は、通信部１９を介して第１静止画送信信号（本発明の第１停止信号に相当）を通話先の携帯電話機へ送信する（Ｓ４０９）。通信先の携帯電話機は、第１静止画送信信号を受信すると、動画の送信を停止し、動画に替えて、カメラで撮影した通信相手の静止画を、相対的に短い更新時間間隔（たとえば、１０秒間隔）で送信する。
【０１１２】
映像表示領域ＲＡから外れたユーザの視線位置が、一定時間、第２静止画送信領域ＲＥ内に留まると、通話制御部３２は、視線位置が第２静止画送信領域ＲＥ内へ移動したと判定する（Ｓ４０５：ＹＥＳ）。これにより、通話制御部３２は、通信部１９を介して第２静止画送信信号（本発明の第１停止信号に相当）を通話先の携帯電話機へ送信する（Ｓ４１０）。通信先の携帯電話機は、第２静止画送信信号を受信すると、動画の送信を停止し、動画に替えて、カメラで撮影した通信相手の静止画を、相対的に長い更新時間間隔（たとえば、３０秒間隔）で送信する。
【０１１３】
映像表示領域ＲＡから外れたユーザの視線位置が、一定時間、第２静止画送信領域ＲＥ
の外側の領域内に留まると、通話制御部３２は、視線位置が第２静止画送信領域ＲＥの外側の領域内へ移動したと判定する（Ｓ４０６：ＹＥＳ）。これにより、通話制御部３２は、通信部１９を介して画像送信停止信号（本発明の第２停止信号に相当）を通話先の携帯電話機へ送信する（Ｓ４１１）。通信先の携帯電話機は、画像送信停止信号を受信すると、動画の送信を停止し、さらに静止画の送信も行わない。
【０１１４】
その後、ユーザが外した視線を映像表示領域ＲＡに復帰させることにより、視線位置が動画標準送信領域ＲＢ内へ移動し、一定時間、動画標準送信領域ＲＢ内に留まると、通話制御部３２は、視線位置が動画標準送信領域ＲＢ内へ移動されたと判定する（Ｓ４０７：ＹＥＳ）。通話制御部３２は、通信部１９を介して抑制解除信号を通話先の携帯電話機へ送信する（Ｓ４１２）。通信先の携帯電話機は、抑制解除信号を受信すると、上記低転送レートよりも高い転送レート（高転送レート）での動画の送信を再開する。
【０１１５】
通話制御部３２は、ユーザによりテレビ電話を終了させる操作がなされると（Ｓ４１３：ＹＥＳ）、赤外線カメラ９および赤外線ＬＥＤ１０を停止させ、視線検出部３１に、ユーザの視線位置の検出を終了させる（Ｓ４１４）。こうして、動画データ量調整処理が終了する。
【０１１６】
図１３は、本変更例に係る、動画・音声送信処理について説明するための図である。図１３（ａ）は、動画・音声送信処理の処理手順を示すフローチャートである。図１３（ｂ）は、各指令信号に各画像送信処理が割り当てられた割り当てテーブルを示す図である。なお、割り当てテーブルは、記憶部１２に記憶されている。
【０１１７】
処理が開始されると、通話制御部３２は、カメラ８およびマイクロフォン４を作動する（Ｓ５０１）。通話制御部３２は、カメラ８で撮影されたユーザの動画（動画データ）の送信、およびマイクロフォン４に入力された音声（音声データ）の送信を開始する（Ｓ５０２）
通話制御部３２は、通信先の携帯電話機から、レート低下信号、第１静止画送信信号、第２静止画送信信号、画像送信停止信号および抑制解除信号の何れかの指令信号を受信したか否かを判定する（Ｓ５０３）。通話制御部３２は、何れかの指令信号を受信すると（Ｓ５０３：ＹＥＳ）、図１３（ｂ）の割り当てテーブルに従い、受信した指令信号に応じた画像送信処理を実行する（Ｓ５０４）。
【０１１８】
即ち、通話制御部３２は、レート低下信号を受信すると、低転送レートで動画を送信する。また、通話制御部３２は、第１静止画送信信号を受信すると、動画の送信を停止し、動画に替えて、カメラ８で撮影したユーザの静止画を、短い更新時間間隔で送信する。さらに、通話制御部３２は、第２静止画送信信号を受信すると、動画の送信を停止し、動画に替えて、カメラ８で撮影したユーザの静止画を、短い更新時間間隔で送信する。さらに、通話制御部３２は、画像送信停止信号を受信すると、動画の送信を停止し、さらに静止画の送信も行わない。さらに、通話制御部３２は、抑制解除信号を受信すると、高転送レートで動画を送信する。
【０１１９】
通話制御部３２は、テレビ電話を終了させる操作がなされると（Ｓ５０５：ＹＥＳ）、動画（静止画）および音声の送信を停止し（Ｓ５０６）、カメラ８およびマイクロフォン４を停止させる（Ｓ５０７）。こうして、動画・音声送信処理が終了する。なお、既に、動画（静止画）の送信が停止されている場合には、ステップＳ５０６の処理において、音声の送信のみが停止される。
【０１２０】
本変更例の動画・音声受信処理は、図４に示す上記実施の形態の動画・音声受信処理と同様である。ただし、ステップＳ１０８の処理では、通話制御部３２は、静止画が受信さ
れれば、静止画を映像表示領域ＲＡに表示し、動画も静止画も受信されなければ、動画の最後のフレームの画像または最後に更新された静止画を映像表示領域ＲＡに表示する。
【０１２１】
このようにして、本変更例では、ユーザの視線位置が動画送信抑制領域ＲＣまで外れた場合、映像表示領域ＲＡに低い解像度の動画が表示される。また、ユーザの視線位置が動画送信抑制領域ＲＣの外側の第１静止画送信領域ＲＤまで外れた場合、映像表示領域ＲＡに短い時間間隔で更新される静止画が表示される。さらに、ユーザの視線位置が第１静止画送信領域ＲＤの外側の第２静止画送信領域ＲＥまで外れた場合、映像表示領域ＲＡに長い時間間隔で更新される静止画が表示される。さらに、ユーザの視線位置が第２静止画送信領域ＲＥの外側の領域まで外れた場合、映像表示領域ＲＡに動画の最後のフレームの画像あるいは最後に更新された静止画が表示される。
【０１２２】
以上、本変更例では、ユーザの視線位置が映像表示領域ＲＡから外れる距離に従い、映像表示領域ＲＡ内の画像の動きが遅くなるよう、受信される動画のデータ量が段階的に調整される。そのため、映像表示領域ＲＡ内の画像の動きが急に変わることによりユーザが覚える違和感を抑制できる。
【０１２３】
＜変更例２＞
上記実施の形態では、ユーザの視線位置が映像表示領域ＲＡ（動画標準送信領域ＲＢ）から外れた場合に、ユーザが映像表示領域ＲＡに表示された動画を見ていないと看做され、送信抑制信号（送信停止信号、レート低下信号）が出力される。また、ユーザの視線位置が映像表示領域ＲＡ内に復帰した場合に、ユーザが映像表示領域ＲＡに表示された動画を見ていると看做され、抑制解除信号が出力される。
【０１２４】
本変更例では、ユーザが携帯電話機１の近傍に存在しているか否かが検出され、ユーザが携帯電話機１の近傍からいなくなった場合に、ユーザが映像表示領域ＲＡに表示された動画を見ていないと看做され、送信抑制信号（送信停止信号、レート低下信号）が出力される。また、ユーザが携帯電話機１の近傍へ戻ってきた場合に、ユーザが映像表示領域ＲＡに表示された動画を見ていると看做され、抑制解除信号が出力される。
【０１２５】
図１４は、本変更例に係る、携帯電話機１の全体構成を示すブロック図である。本変更例の携帯電話機１では、第２撮影部２１、赤外光出力部２２および視線検出部３１に替えて、近接検出部２３が備えられている。その他の構成は上記実施の形態と同様である。
【０１２６】
近接検出部２３は、近接センサ等により構成される。近接検出部２３は、検出対象物であるユーザが携帯電話機１の正面に対して所定距離だけ近づくと、検出信号を制御部１１に出力する。所定距離は、ユーザがテレビ電話での通話を行っている、即ち、映像表示領域ＲＡに表示された画像を見ているときの携帯電話機１に対するユーザの距離を考慮して予め設定される。近接検出部２３により検出信号が出力されているときには、ユーザが携帯電話機１の近傍に存在し、動画を見ていると看做すことができる。
【０１２７】
図１５は、本変更例に係る、動画データ量調整処理の処理手順を示すフローチャートである。図１５を参照して、動画データ量調整処理について説明する。
【０１２８】
処理が開始されると、通話制御部３２は、近接検出部２３の近接センサを作動させる（Ｓ５０１）。通話制御部３２は、近接検出部２３がユーザを検出している状態からユーザを検出しない状態になったか否かを判定する（Ｓ５０２）。さらに、通話制御部３２は、近接検出部２３がユーザを検出していない状態からユーザを検出する状態になったか否かを判定する（Ｓ５０３）。
【０１２９】
動画を見ていたユーザが携帯電話機１の近傍から離れると、近接検出部２３がユーザを検出しなくなる（Ｓ５０２：ＹＥＳ）。これにより、通話制御部３２は、通信部１９を介して送信停止信号を通話先の携帯電話機へ送信する（Ｓ５０４）。なお、通話制御部３２は、送信停止信号に替えて、レート低下信号を出力してもよい。
【０１３０】
その後、ユーザが、携帯電話機１の近傍へ戻ると、近接検出部２３がユーザを検出する（Ｓ５０３：ＹＥＳ）。これにより、通話制御部３２は、通信部１９を介して抑制解除信号を通話先の携帯電話機へ送信する（Ｓ５０５）。
【０１３１】
通話制御部３２は、ユーザによりテレビ電話を終了させる操作がなされると（Ｓ５０６：ＹＥＳ）、近接センサを停止させる（Ｓ５０７）。こうして、動画データ量調整処理が終了する。
【０１３２】
なお、本変更例において実行される動画・音声受信処理および動画・音声送信処理は、上記実施の形態と同様である。
【０１３３】
以上、本変更例によれば、上記実施の形態と同様、ネットワークを通じて携帯電話機１に受信される動画のデータ量を低減できるので、携帯電話機１の消費電力の低減および処理負荷の軽減を図ることが可能となるとともに、ネットワークリソースの有効活用を図ることが可能となる。
【０１３４】
＜変更例３＞
本変更例では、ユーザの顔画像が第１撮影部２０により撮影された画像に含まれているか否かが検出され、ユーザの顔画像が撮影画像内からなくなった場合に、ユーザが映像表示領域ＲＡに表示された動画を見ていないと看做され、送信抑制信号（送信停止信号、レート低下信号）が出力される。また、ユーザの顔画像が撮影画像内に現れた場合に、ユーザが映像表示領域ＲＡに表示された動画を見ていると看做され、抑制解除信号が出力される。
【０１３５】
図１６は、本変更例に係る、携帯電話機１の全体構成を示すブロック図である。本変更例の携帯電話機１では、第２撮影部２１、赤外光出力部２２および視線検出部３１に替えて、顔検出部３３が備えられている。その他の構成は上記実施の形態と同様である。
【０１３６】
顔検出部３３は、第１撮影部２０から撮影画像を取得し、既に周知の顔認識処理を実行することにより、撮影画像内に顔画像が含まれているか否かを検出する。顔検出部３３により顔画像が検出されているときには、ユーザが動画を見ていると看做すことができる。
【０１３７】
図１７は、本変更例に係る、動画データ量調整処理の処理手順を示すフローチャートである。図１７を参照して、動画データ量調整処理について説明する。
【０１３８】
処理が開始されると、通話制御部３２は、顔検出部３３に顔画像の検出を開始させる（Ｓ６０１）。通話制御部３２は、顔検出部３３による検出結果に基づいて、撮影画像内から顔画像がなくなったか否かを判定する（Ｓ６０２）。さらに、通話制御部３２は、撮影画像内に顔画像が現れたか否かを判定する（Ｓ６０３）。
【０１３９】
動画を見ていたユーザが携帯電話機１から顔を逸らしたり、携帯電話機１のもとから離れたりすると、顔検出部３３が顔画像を検出しなくなる。これにより、通話制御部３２は、撮影画像内から顔画像がなくなったと判定し（Ｓ６０２：ＹＥＳ）、通信部１９を介して送信停止信号を通話先の携帯電話機へ送信する（Ｓ６０４）。なお、通話制御部３２は、送信停止信号に替えて、レート低下信号を出力してもよい。
【０１４０】
その後、ユーザが、携帯電話機１へ顔を向けて再び動画を見ると、顔検出部３３が顔画像を検出する。これにより、通話制御部３２は、撮影画像内に顔画像が現れたと判定し（Ｓ６０３：ＹＥＳ）、通信部１９を介して抑制解除信号を通話先の携帯電話機へ送信する（Ｓ６０５）。
【０１４１】
通話制御部３２は、ユーザによりテレビ電話を終了させる操作がなされると（Ｓ６０６：ＹＥＳ）、顔検出部３３に顔画像の検出を終了させる（Ｓ６０７）。こうして、動画データ量調整処理が終了する。
【０１４２】
なお、本変更例において実行される動画・音声受信処理および動画・音声送信処理は、上記実施の形態と同様である。
【０１４３】
上記の例では、ユーザの顔画像の有無が判定されたが、ユーザの身体（顔を含む）の画像の有無が判定され、これに基づいて、送信抑制信号または抑制解除信号が送信されてもよい。
【０１４４】
以上、本変更例によれば、上記実施の形態と同様、ネットワークを通じて携帯電話機１に受信される動画のデータ量を低減できるので、携帯電話機１の消費電力の低減および処理負荷の軽減を図ることが可能となるとともに、ネットワークリソースの有効活用を図ることが可能となる。
【０１４５】
＜その他＞
以上、本発明の実施の形態について説明したが、本発明は、上記実施の形態によって何ら制限されるものではなく、また、本発明の実施の形態も、上記以外に種々の変更が可能である。
【０１４６】
たとえば、上記実施の形態では、動画標準送信領域ＲＢが映像表示領域ＲＡよりも広くされている。しかしながら、動画標準送信領域ＲＢは、映像表示領域ＲＡと同じ広さとされてもよく、映像表示領域ＲＡより若干狭くされてもよい。
【０１４７】
また、上記実施の形態では、テレビ電話画面１０１の一部が映像表示領域ＲＡに設定されている。しかしながら、テレビ電話画面１０１の全部が映像表示領域ＲＡに設定されてもよい。
【０１４８】
さらに、上記実施の形態において、通話制御部３２は、送信停止信号が受信され、動画の送信を停止した場に、動画に替えて静止画を所定の更新時間間隔で送信するようにしてもよい。
【０１４９】
さらに、上記変更例では、動画送信抑制領域ＲＣの周囲に、第１静止画送信領域ＲＤおよび第２静止画送信領域ＲＥが設定された。しかしながら、何れか一つの静止画送信領域のみが設定されてもよい。さらに、静止画送信領域が設定されなくてもよい。静止画送信領域が設定されない場合、映像表示領域ＲＡに位置していたユーザの視線位置が動画送信抑制領域ＲＣの外側の領域に移動すると、画像送信停止信号が送信され、動画が停止されるとともに静止画が送信されない。さらには、動画送信抑制領域が複数設定されてもよい。
【０１５０】
さらに、上記実施の形態では、視線の揺れに起因して送信停止信号と抑制解除信号の出力が繰り返されてしまうとの問題を解消するため、視線位置が動画標準送信領域ＲＢ内（外）に一定時間留まった場合に、視線位置が動画標準送信領域ＲＢ内（外）に移動された
と判定された。しかしながら、他の構成として、図１８に示す構成を採用することもできる。即ち、テレビ電話画面１０１上には、第１動画標準送信領域ＲＸが設定され、第１動画標準送信領域ＲＸの周囲に第２動画標準送信領域ＲＹが設定される。通話制御部３２は、ユーザの視線位置が第２動画標準送信領域ＲＹの外側に外れた場合に送信停止信号を出力する。また、通話制御部３２は、第２動画標準送信領域ＲＹの外側に外れた視線位置が、第２動画標準送信領域ＲＹ内に戻っても抑制解除信号を出力せず、さらに、第１動画標準送信領域ＲＸ内に進入した場合に抑制解除信号を出力する。このような構成としても上記問題を解消することができる。
【０１５１】
本発明は、テレビ電話機能を備える携帯電話機に限られず、テレビ電話機能を備えるＰＤＡ（PersonalDigital Assistant）、タブレットＰＣ（Tablet PC）等の各種のテレビ電話機能付き機器に適用可能である。
【０１５２】
この他、本発明の実施形態は、特許請求の範囲に示された技術的思想の範囲内において、適宜、種々の変更が可能である。
【符号の説明】
【０１５３】
３  表示面
４  マイクロフォン
７  外部スピーカ
８  カメラ
１１  制御部
１３  表示部
１５  音声入力部
１６  音声出力部
１９  通信部
２０  第１撮影部（撮影部）
２３  近接検出部
３１  視線検出部
３２  通話制御部
３３  顔検出部（画像検出部）
ＲＡ  映像表示領域（表示領域）
ＲＢ  動画標準送信領域（第１判定領域）
ＲＣ  動画送信抑制領域（第２判定領域）
ＲＤ  第１静止画送信領域（第３判定領域）
ＲＥ  第２静止画送信領域（第３判定領域）
【図１】
2014090230.tif 000003
【図２】
2014090230.tif 000004
【図３】
2014090230.tif 000005
【図４】
2014090230.tif 000006
【図５】
2014090230.tif 000007
【図６】
2014090230.tif 000008
【図７】
2014090230.tif 000009
【図８】
2014090230.tif 000010
【図９】
2014090230.tif 000011
【図１０】
2014090230.tif 000012
【図１１】
2014090230.tif 000013
【図１２】
2014090230.tif 000014
【図１３】
2014090230.tif 000015
【図１４】
2014090230.tif 000016
【図１５】
2014090230.tif 000017
【図１６】
2014090230.tif 000018
【図１７】
2014090230.tif 000019
【図１８】
2014090230.tif 000020